(57)【特許請求の範囲】
【請求項１】
上面より上方付勢状態で押し込み可能にステム（５）を突設したエアゾール容器体（Ａ）と、ステム（５）に縦筒（10）を嵌着して押し下げ可能に設けた噴射ヘッド（Ｂ）と、該噴射ヘッド（Ｂ）を収納してエアゾール容器体（Ａ）上に立設したケーシング（Ｃ）と、ケーシング（Ｃ）内に揺動可能に設けるとともに、先端部をケーシング外方へ引き込み可能に突出し、先端部の引き込みにより噴射ヘッド（Ｂ）を押し下げて液を噴射させるトリガー（Ｄ）とを備えたトリガー式液体噴出器であって、ケーシング（Ｃ）から突出したトリガー（Ｄ）の先端部を、その引き込みが不能に被覆するストッパー（Ｅ）を離脱可能に設け、前記ケーシング（Ｃ）は、縦筒状の把持部（C2A ）と、該把持部上に連設して前方へ突出する横筒部（C2B ）とを備え、横筒部（C2B ）の先端面には噴射口（12）を臨ませた第３窓孔（25）を、横筒部（C2B ）の前部下面にはトリガー（Ｄ）の先端部を引き込み可能に突出させた第４窓孔（26）を、把持部（C2A ）の前部にはストッパー（Ｅ）を嵌着させるための第２窓孔（24）をそれぞれ設け、前記ストッパー（Ｅ）は、トリガー（Ｄ）先端部の両側方及び前方を囲繞する平面視Ｕ字状をなすとともに、各先端部を第２窓孔（24）の両側縁部にそれぞれ係合させて着脱可能にケーシング（Ｃ）に装着してなることを特徴とするトリガー式液体噴出器。
【発明の詳細な説明】
【技術分野】
【０００１】
本発明はトリガー式液体噴出器に関する。
【背景技術】
【０００２】
ノズルヘッドの上下移動により容器体の液体を噴出するポンプディスペンサーに対して取り付けられ、レバー部によりノズルヘッドを下方に押し下げる機能を有するポンプディスペンサー用補助カバーが提案されている。（例えば特許文献１参照）
【０００３】
このポンプディスペンサー用補助カバーは、キャップに取り付けられる中空状の基体部を備え、レバー部は、基体部に対してヒンジ部を介して回動可能に設けられ、レバー部の回動によりノズルヘッドを下方に押し下げるものである。
【０００４】
このポンプディスペンサー用補助カバーは、基体部とレバー部との間にレバー部の回動を阻止するための切り離し可能なストッパーを設けている。また、このストッパーに代えて、レバー部の移動を拘束する位置と拘束しない開放位置とに回動可能な回動ストッパーが取り付けられた筒状の安全部材が、基体部の中心軸と同一の中心軸を有する様に設けられている。安全部材には、回動ストッパーを開放位置にて保持するためのストッパー保持部が形成されている。
【特許文献１】特開２００４−１２２１２３号公報
【発明の開示】
【発明が解決しようとする課題】
【０００５】
上記従来のディスペンサーは、意図せずにトリガーを引いてしまいノズルから液体が噴射されるのを防止でき、しかもノズルキャップをしないで防止でき、その結果ノズルキャップの紛失の虞もないという優れたものであるが、前記ストッパー或いは回動ストッパーは基体部とレバー部（トリガー）との間に設けているため、レバー部は露出しており、誤ってレバー部を引くことによりストッパーを破損してしまう虞がある。また、前記ストッパーは切り離し可能に形成したものであり、一旦切り離すと、即ち開封すれば、使用中には作用しない。また、前記回動ストッパーの場合にはその様な不都合はないが、前記した如く誤ってレバー部を引く等の外力により簡単に外れてしまう虞がある。即ち、回動ストッパーは、レバー部に突設した平行な二本の突起の間にその端部を嵌着させて係止させているため、レバー部に外力が加わると簡単に外れてしまう虞がある。  
【０００６】
本発明は上記した点に鑑みてなされたもので、不使用時には不用意な液の噴射を確実に防止でき、使用時には簡単な操作で液の噴射を行うことができ、また、誤ってトリガーを引く虞れのないトリガー式液体噴出器を提案する。また、ロック状態とロック解除状態を簡単に現出することができて使い勝手の良いトリガー式液体噴出器を提案する。
【課題を解決するための手段】
【０００７】
本発明のトリガー式液体噴出器は、エアゾール容器体と、噴射ヘッドと、ケーシングと、トリガーと、ストッパーとを備えている。
【０００８】
エアゾール容器体は、上面中央部より上方付勢状態で押し下げ可能にステムを突出し、ステムの押し込みにより内蔵吐出弁が開弁してガス圧により収納液をステムより噴射する如く構成した公知の噴出機構を備えたものが使用される。また、エアゾール容器体は、ケーシングに嵌合係止させるために、上面中央部所定位置に環状突部を立設したものが好ましく使用できる。
【０００９】
噴射ヘッドは合成樹脂等により形成したもので、エアゾール容器体のステムに縦筒下端の導入口を嵌合させて押し下げ可能に装着し、前方へ突設した横筒の先端に噴射口を開口し、内部に導入口から噴射口に到る流路を備えている。
【００１０】
ケーシングは合成樹脂等により形成され、エアゾール容器体に嵌着してその上方へ立設したものであり、例えば、エアゾール容器体の上端部に嵌着した嵌着基部と、該嵌着基部上に立設したカバー部とから構成される。エアゾール容器体に嵌着した際の係止形態としては、突条相互の乗り越え係合、或いは螺条相互の螺合等の一般的係止形態が採用できる。カバー部は内部に噴射ヘッド，トリガーを操作可能に収納する。具体的構成として、噴射ヘッドの噴射口を噴射可能に臨ませた窓孔を備え、また、トリガーの指を掛ける為の先端部を引き込み可能に突出させる窓孔を備えている。ケーシングの具体的形状は上記要件を備えれば種々採用できるが、エアゾール容器体上に立設した縦筒状の把持部と、把持部上に連設して前方へ突出する横筒部とで構成したピストルタイプのカバー部を備えたものが好ましく使用できる。
【００１１】
トリガーは合成樹脂等により形成したもので、軸着等の手段で基端部を回動可能に連繋して、ケーシング内に揺動可能に設けるとともに、先端部をケーシング外方へ引き込み可能に突出し、先端部の引き込みにより噴射ヘッドを押し下げて液を噴射させる如く機械的に噴射ヘッドと連繋させている。噴射ヘッドとの連繋は、例えば、噴射ヘッドに突設した突部を回動するトリガーにより押し下げたり、或いは、トリガーに突設した突部により噴射ヘッドを押し下げたり、噴射ヘッドとトリガーの中間部所定位置とを軸着して押し下げたり、その他上記要件を満たせば種々採用できる。
【００１２】
ストッパーは合成樹脂等により形成され、トリガーの引き込みを防止し、牽いては噴射ヘッドの押し下げを防止するものであり、ケーシングと一体に形成して切り取り可能に設けても、ケーシングに対して着脱自在に設けても良い。ストッパーはケーシングから突設したトリガーの先端部を、その引き込みが不能となる如く被覆して離脱可能に設けている。換言すれば、装着時に使用者がケーシングから突出したトリガー先端部に接触できない状態になっている。ストッパーの具体的形状として、ケーシングが前記したピストル型の場合には、平面視Ｕ字状をなす半環状のものが好ましく採用できる。このタイプのストッパーの場合にはトリガー先端部の両側及び前部周囲を囲繞して、先端部を把持部や嵌着基部等のケーシングにミシン目，薄肉線等の切断部を介して切り取り可能に連結する。或いは先端を把持部に設けた窓孔縁部に係合させる。その際先端部両側を係合凹部とし、ストッパー先端部を窄ます様に弾性変形させて各係合凹部を窓孔の開口縁部に係合させる如く構成すれば、着脱が極めて容易となるだけでなく、係合時には充分大きな係合強度を得られる。
【００１３】
第１の手段として、上面より上方付勢状態で押し込み可能にステム５を突設したエアゾール容器体Ａと、ステム５に縦筒10を嵌着して押し下げ可能に設けた噴射ヘッドＢと、該噴射ヘッドＢを収納してエアゾール容器体Ａ上に立設したケーシングＣと、ケーシングＣ内に揺動可能に設けるとともに、先端部をケーシング外方へ引き込み可能に突出し、先端部の引き込みにより噴射ヘッドＢを押し下げて液を噴射させるトリガーＤとを備えたトリガー式液体噴出器であって、ケーシングＣから突出したトリガーＤの先端部を、その引き込みが不能に被覆するストッパーＥを離脱可能に設け、前記ケーシングＣは、縦筒状の把持部C2A と、該把持部上に連設して前方へ突出する横筒部C2B とを備え、横筒部C2B の先端面には噴射口12を臨ませた第３窓孔25を、横筒部C2B の前部下面にはトリガーＤの先端部を引き込み可能に突出させた第４窓孔26を、把持部C2A の前部にはストッパーＥを嵌着させるための第２窓孔24をそれぞれ設け、前記ストッパーＥは、トリガーＤ先端部の両側方及び前方を囲繞する平面視Ｕ字状をなすとともに、各先端部を第２窓孔24の両側縁部にそれぞれ係合させて着脱可能にケーシングＣに装着した。
【発明の効果】
【００１６】
本発明では、ストッパーＥの存在でトリガーＤと接触することができず、その結果、噴射ヘッドＢの押し下げを確実に防止でき、それに伴うステム５の押し下げを確実に防止でき、液の不用意な噴射防止を図れる。また、トリガーＤに接触できないため、誤ってトリガーＤを引いてそれに伴う不都合を生じるという虞もない。
【００１７】
第２の手段では、液の噴射を行う場合にはストッパーＥを取り外すだけで、通常のトリガー式液体噴出器となり、また、使用後は再びストッパーＥを装着することができるため、ロック状態とロック解除状態を常に選択でき、使い勝手も非常によい。
【００１８】
第３の手段では、ストッパーＥの両側から押圧して窄ませることにより、係合部分の容易な係合或いは係合解除を行え、その結果、容易な装着，脱着を行える。
【発明を実施するための最良の形態】
【００１９】
以下、本発明の実施例の形態を図面を参照して説明する。
【００２０】
図１乃至図３は本発明トリガー式液体噴出器の一例を示し、該トリガー式液体噴出器１は、エアゾール容器体Ａと、噴射ヘッドＢと、ケーシングＣと、トリガーＤと、ストッパーＥとを備えている。
【００２１】
エアゾール容器体Ａは、胴部２の上部に肩部３を介して環状突部４を立設し、環状突部４内の上面中央部より上方付勢状態で押し下げ可能にステム５を突出し、該ステム５の押し込みにより内蔵吐出弁（図示せず）が開弁してガス圧によりエアゾール容器体Ａ内の収納液をステム５より噴射する如く構成した公知の噴出機構を備えたものである。また、環状突部４外周下部には下向き段部６を周設している。
【００２２】
噴射ヘッドＢは合成樹脂により形成され、ステム５に嵌着してその押し下げ及び液の噴射を行うためのもので、ステム５に下端の導入口を密嵌させた縦筒10の上部に基端を開口した横筒11を前方へ延設し、その先端を噴射口12として開口し、ステム５からの液を縦筒10及び横筒11内を通して噴射口12から噴射する如く構成している。また、縦筒10の両側上端部にそれぞれ軸13を設けている。
【００２３】
ケーシングＣは合成樹脂により形成され、エアゾール容器体Ａに嵌着した嵌着基部C1と、内部に噴射ヘッドＢ、トリガーＤを作動可能に収納するカバー部C2とを備えている。
【００２４】
嵌着基部C1はエアゾール容器体Ａの環状突部４外周に嵌着した円筒状の嵌合筒20を頂板21裏面より垂設し、嵌合筒20の内周下端部に突周設した係合突条22を環状突部４の下向き段部６下面に強制的に係合させて上方への抜け出しを防止している。更に、頂板21中央に設けた第１窓孔23より噴射ヘッドＢの縦筒10を押し下げ可能に突出している。
【００２５】
カバー部C2は嵌着基部C1の頂板21上面に一体に立設した縦筒状の把持部C2A と、該把持部C2A 上に連設して前方へ突出する横筒部C2B とを備え、把持部C2A の前面にストッパーＥを嵌着させるための第２窓孔24を、横筒部C2B の先端面には噴射口12を臨ませる第３窓孔25を、横筒部C2B の前部下面にはトリガーＤの先端部を揺動可能に突出させるための第４窓孔26を、それぞれ穿設している。第２窓孔24は両側縁が平行に起立する形態のもので、両縁部にストッパーＥの先端部をそれぞれ係合する如く構成している。また、把持部C2A 内には第２窓孔24部分を共有する小径の筒27を立設している。そして、噴射ヘッドＢの縦筒10を把持部C2A 及び横筒部C2B に押し下げ可能に配置させるとともに、横筒11を横筒部C2B 内の前部に押し下げ可能に配置して先端の噴射口を第３窓孔25に噴射可能に臨ませている。また、横筒部C2B 内の後部には軸受28を設けている。
【００２６】
トリガーＤも合成樹脂により形成され、二枚の側板40を、後部に於いて軸41により連結するとともに、前部に於いて各側板40間に前板42を掛け渡して指掛け部分を形成し、一体化している。また、両側板40内面の前後方向中間部には軸受43をそれぞれ設けている。そして、トリガーＤの軸41をケーシングＣの軸受28に軸着させるとともに、トリガーＤの各軸受43に噴射ヘッドＢの各軸13を軸着させ、第４窓孔26より先端部の指掛け部分を引き込み可能に突出させて装着している。
【００２７】
ストッパーＥも合成樹脂により形成されたもので、横筒部C2B の第４窓孔26より突出した部分であるトリガーＤの先端部の両側方及び前方を囲繞し、把持部C2A の第２窓孔24両側縁部に各先端部をそれぞれ係合させてケーシングＣに着脱可能に装着している。ストッパーＥは、図２に示す如く、平面視Ｕ字状をなす半環状で先端部からＵ字の頂点に到る方向に漸次上面を上昇させる如く構成しており、また、各先端面からはそれぞれ外側を向く係合凹部50を備えた一対の係合片51を突設している。また，先端部の両側を押圧することにより、それぞれ内方へ弾性変形して、係合凹部50の係脱を容易に行える如く構成している。
【００２８】
そして、ストッパーＥを両側から押圧して両側板部分を弾性変形させた状態で各係合凹部50を把持部C2A の第２窓孔24両側縁に対応させ、押圧を解除すれば各係合凹部50が第２窓孔24両縁部に係合し、ストッパーＥをケーシングＣに装着することができ、その結果、ストッパーＥによりトリガーＤ周囲を囲繞し、また、噴射口12を被覆する。従って、トリガーＤを引くことができなくなり、液の噴射が不能となる。
【００２９】
トリガー式液体噴出器１を使用する場合には、図１の状態からストッパーＥを両側から押圧することにより、各係合凹部50が第２窓孔24両側縁から外れ、ケーシングＣからストッパーＥを取り外すことができる。次いでトリガーＤを引けば収納液が噴射口12から噴射する。
【図面の簡単な説明】
【００３０】
【図１】本発明噴出器の縦断面図である。（実施例１）
【図２】本発明噴出器に於けるストッパーの斜視図である。（実施例１）
【図３】本発明噴出器に於けるストッパーの連結部分の要部横断面図である。（実施例１）
【符号の説明】
【００３１】
Ａ…エアゾール容器体，５…ステム，
Ｂ…噴射ヘッド，10…縦筒，12…噴射口
Ｃ…ケーシング，
C2A …把持部，24…第２窓孔
C2B …横筒部，25…第３窓孔，26…第４窓孔
Ｄ…トリガー
Ｅ…ストッパー
【図１】
0004756543.tif 000002
【図２】
0004756543.tif 000003
【図３】
0004756543.tif 000004